(57)【要約】【課題】伝熱管の破損をより単純な構成で精度良く特定できる蒸気発生装置を提供する。【解決手段】蒸気発生装置１は、シェル２及び多数の二重伝熱管３を有する蒸気発生器２１、及び伝熱管破損検出装置２２を備える。二重伝熱管３の各内管４の上端部及び下端部は蒸気側管板６及び給水側管板９に接合され、内管４を取り囲む各外管５の上端部及び下端部がＮａ側上部管板７及びＮａ側下部管板８に接合される。複数の耐熱光ファイバ２３が内管４と外管５の間に配置される。一部の耐熱光ファイバ２３は、ガスプレナム３３を通って伝熱管破損検出装置２２に接続される。残りの耐熱光ファイバ２３は、ガスプレナム３４を通って伝熱管破損検出装置２２に接続される。伝熱管破損検出装置２２は耐熱光ファイバ２３から入射する散乱光に基づいて二重伝熱管３の温度分布を求め、温度分布の変化により破損した二重伝熱管を特定する。【選択図】図１
2010014583.tif 000002
【特許請求の範囲】
【請求項１】
内管及び前記内管の周囲を取り囲む外管を有する複数の二重伝熱管をシェル内に配置した蒸気発生器と、前記内管と前記外管の間に配置された複数の耐熱光ファイバと、これらの耐熱光ファイバが接続され、これらの耐熱光ファイバに光を入射し、これらの光ファイバから戻ってくる散乱光を用いて前記二重伝熱管の温度を測定する伝熱管破損検出装置とを備えたことを特徴とする蒸気発生装置。
【請求項２】
前記伝熱管破損検出装置は、測定された前記二重伝熱管の温度情報に基づいて前記二重伝熱管の軸方向の温度分布を求め、この温度分布の変化量を算出する請求項１に記載の蒸気発生装置。
【請求項３】
前記複数の耐熱光ファイバの一部が前記蒸気発生器の一端部から外部に取り出され、残りの前記耐熱光ファイバが前記蒸気発生器の一端部から外部に取り出されている請求項１または２に記載の蒸気発生装置。
【請求項４】
前記蒸気発生器は、前記シェルに設けられて前記シェル内で蒸気プレナムの境界を画定する第１管板、前記シェルに設けられて前記シェル内に給水プレナムの境界を画定する第２管板、及び前記第１管板と前記第２管板の間に離れて配置され、前記シェル内で相互間に液体金属が流れる領域を画定する第３管板及び第４管板を有し、前記内管の一端部が前記第１管板に取り付けられて前記内管の他端部が第２管板に取り付けられ、前記外管の一端部が前記第３管板に取り付けられて前記外管の他端部が前記第４管板に取り付けられ、
前記耐熱光ファイバが、前記第１管板と前記第３管板の間に形成された第１プレナム及び前記第２管板と前記第４管板の間に形成された第２プレナムの少なくとも１つの内部を通して前記シェルの外部に達している請求項１に記載の蒸気発生装置。
【請求項５】
前記蒸気発生器は、前記シェルに設けられて前記シェル内で蒸気プレナムの境界を画定する第１管板、及び前記シェルに設けられて前記シェル内に給水プレナムの境界を画定する第２管板を有し、前記内管及び前記外管のそれぞれの一端部が前記第１管板に取り付けられ、前記内管及び前記外管のそれぞれの他端部が第２管板に取り付けられ、
前記耐熱光ファイバが、前記蒸気プレナム及び前記給水プレナムの少なくとも１つの内部を通して前記シェルの外部に達している請求項１に記載の蒸気発生装置。
【発明の詳細な説明】
【技術分野】
【０００１】
本発明は、蒸気発生装置に係り、特に、高速増殖炉に用いるのに好適な蒸気発生装置に関する。
【背景技術】
【０００２】
高速増殖炉に用いられる蒸気発生器として、二重伝熱管を用いた蒸気発生器が提案されている（特開平４−２０３８９６号公報及び特開平６−３４７３６０号公報参照）。
【０００３】
二重伝熱管を用いた蒸気発生器は、シェル（胴）に、上方から順に、蒸気側管板、ナトリウム側上部管板、ナトリウム側下部管板及び給水側管板を設けており、複数の二重伝熱管を有している。二重伝熱管は、外管及び外管内に配置された内管を有する。外管の上端部がナトリウム側上部管板に取り付けられ、外管の下端部がナトリウム側下部管板に取り付けられる。内管の上端部が蒸気側管板に取り付けられ、内管の下端部が給水側管板に取り付けられる。
【０００４】
高速増殖炉内で加熱された一次液体ナトリウムと中間熱交換器で熱交換されて加熱された二次液体ナトリウムは、ナトリウム側上部管板の下方でこの管板付近でシェルに設けられたナトリウム入口ノズルからシェル内に供給される。この二次液体ナトリウムは、シェル内で外管の相互間に形成されるナトリウム流路内を下降し、ナトリウム側下部管板の上方でこの管板付近でシェルに設けられたナトリウム出口ノズルからシェル外へ流出する。このシェルから流出した二次液体ナトリウムは、中間熱交換器に戻される。
【０００５】
復水器から排出された給水は、給水ポンプで昇圧されて給水配管を通り、給水側管板より下方でシェル内に形成された給水プレナムに供給される。この給水は、内管内を流れているとき二次液体ナトリウムによって加熱されて蒸気になる。蒸気は、蒸気側管板より上方でシェル内に形成された蒸気プレナム内に排出され、蒸気配管を通ってタービンに供給される。タービンを回転させてタービンから排出された蒸気は、復水器で凝縮されて水になる。
【０００６】
高速増殖炉の蒸気発生器は、伝熱管にき裂が入って伝熱管から水が漏洩した場合でも、この水がシェル内のナトリウムと反応することを避けなければならない。二重伝熱管は、例え内管にき裂が発生しても外管が存在するので、内管から漏洩した水がナトリウムと接触することを避けることができ、蒸気発生器の安全性を高めている。しかしながら、より安全性を高めるため、上記した各公開公報に記載されたそれぞれの蒸気発生器は、内管の破損を検出する機構を備えている。
【０００７】
特開平４−２０３８９６号公報に記載された蒸気発生器は、蒸気側管板とナトリウム側上部管板の間に形成されるプレナム内で、それぞれの二重伝熱管の内管及び外管にスリーブが取り付けられる。このスリーブと内管の間にヘリウムプレナムが形成され、ヘリウムプレナムは内管と外管の間に形成される間隙に連通されている。各スリーブにはヘリウムプレナムと連通するヘリウム配管がそれぞれ接続され、これらのヘリウム配管はシェルを貫通して外部に導き出されている。ヘリウムプレナムのヘリウムの圧力は、内管内を流れる水及び蒸気の圧力よりも低圧になっており、シェル内を流れる二次液体ナトリウムの圧力よりも高くなっている。外管が破損した場合には、高圧のヘリウムが外管の破損箇所からシェル側に流出するので、ヘリウムプレナムの圧力が低下する。これによって、外管の破損を検知できる。また、内管が破損した場合には、内管内の水、蒸気が内管と外管の間の間隙内に流出する。ヘリウム中の水分（またはヘリウムの圧力）を検出することによって、内管の破損を知ることができる。全ての二重伝熱管にヘリウムプレナムが形成されているので、どの内管または外管が破損したかを確実に知ることができる。
【０００８】
特開平６−３４７３６０号公報に記載された、二重伝熱管を備えた蒸気発生器は、蒸気側管板とナトリウム側上部管板の間に形成されるガスプレナムを取り囲む部分のシェルに、耐熱光ファイバによって光源に接続された発光部と、発光部に対向して配置された受光素子を設置している。光源からの赤外線は、発光部から出力され、そのガスプレナムを通過して受光素子で受光されて電気信号に変換される。この電気信号を入力する信号処理部は、湿分による赤外線吸収を利用して内管からの水（または蒸気）の漏洩の有無を検出する。二重伝熱管の内管が破損したとき、内管内を流れる水（または蒸気）がガスプレナム内に流出する。このとき、信号処理部は、内管からの水（または蒸気）の漏洩を検出する。破損した内管を特定するため、対向する発光部と受光素子の対を多数配置している。
【０００９】
【特許文献１】特開平４−２０３８９６号公報
【特許文献２】特開平６−３４７３６０号公報
【発明の開示】
【発明が解決しようとする課題】
【００１０】
特開平４−２０３８９６号公報に記載された蒸気発生器は、漏洩が生じている内管または外管を特定することができるが、設置される多数の二重伝熱管のそれぞれにスリーブ及びヘリウム配管を設置する必要がある。二重伝熱管が林立する、蒸気側管板とナトリウム側上部管板の間に形成されるプレナム内の狭隘な空間を考慮すると、現実的にそれらを設置することは困難である。また、ヘリウムガスを検知媒体としているため、二重伝熱管における破損による貫通穴が非常に微小であった場合、検知可能な圧力変動に達するまでに時間がかかり、漏洩検知が遅くなる懸念もある。
【００１１】
特開平６−３４７３６０号公報は、破損した内管を特定するために対向する発光部と受光素子の対を多数配置しているが、どの内管または外管が破損したかを特定することが困難である。特開平６−３４７３６０号公報では、ある領域内の複数の内管のどれかが破損したことは分かるが、破損した内管を精度良く特定することはできない。さらに、発光部及び受光素子が必要となり、破損した内管を特定する精度を上げるためには多数の発光部及び受光素子をシェルに設置する必要がある。しかしながら、それらの設置個数は、物理的に制限される。
【００１２】
本発明の目的は、二重伝熱管の破損をより単純な構成で精度良く特定することができる蒸気発生装置を提供することにある。
【課題を解決するための手段】
【００１３】
上記した目的を達成する本発明の特徴は、各二重伝熱管を構成する内管と外管の間に配置された耐熱光ファイバと、これらの耐熱光ファイバが接続され、これらの耐熱光ファイバに光を入射し、これらの光ファイバから戻ってくる散乱光を用いて前記二重伝熱管の温度を測定する伝熱管破損検出装置とを備えたことに有る。
【００１４】
二重伝熱管の内管と外管の間に耐熱光ファイバを配置する単純な構成で、破損が生じた二重伝熱管を精度良く検出することができる。
【発明の効果】
【００１５】
本発明によれば、二重伝熱管の破損をより単純な構成で精度良く特定することができる。
【発明を実施するための最良の形態】
【００１６】
本発明の実施例を以下に説明する。
【実施例１】
【００１７】
本発明の好適な一実施例である蒸気発生装置を、図１及び図２を用いて説明する。本実施例の蒸気発生装置１は、シェル（胴）２及び多数の二重伝熱管３を有する蒸気発生器２１、複数の耐熱光ファイバ２３及び伝熱管破損検出装置２２を備えている。
【００１８】
蒸気発生器２１の構造を以下に説明する。二重伝熱管３は、内側に内管４を配置し、内管４の外側を外管５で取り囲んだ構成を有する。蒸気側管板６、ナトリウム側上部管板７、ナトリウム側下部管板８及び給水側管板９が、上方よりこの順にシェル２に設けられている。多数の二重伝熱管３はシェル２内に配置される。内管４の上端部が蒸気側管板６に溶接にて取り付けられ、内管４の下端部が給水側管板９に溶接にて取り付けられる。外管５の上端部がナトリウム側上部管板７に溶接にて取り付けられ、外管５の下端部がナトリウム側下部管板８に溶接にて取り付けられる。
【００１９】
シェル２内で蒸気側管板６とナトリウム側上部管板７の間に、ガスプレナム３３が形成される。ガスプレナム３４がシェル２内でナトリウム側下部管板８と給水側管板９の間に形成される。内管４と外管５の間に形成される間隙はガスプレナム３３及び３４に連通される。ヘリウムがガスプレナム３３及び３４内に充填され、このヘリウムは内管４と外管５の間の間隙内にも充填される。
【００２０】
蒸気プレナム１０がシェル２内で蒸気側管板６より上方に形成され、シェル２に設けられた蒸気出口ノズル１１内の通路が蒸気プレナム１０に連通している。蒸気出口ノズル１１に接続された蒸気配管（図示せず）はタービン（図示せず）に接続される。給水プレナム１２がシェル２内で給水側管板９より下方に形成され、シェル２に設けられた給水入口ノズル１３内の通路が給水プレナム１２に連通される。給水入口ノズル１３に接続された給水配管（図示せず）は復水器（図示せず）に接続される。
【００２１】
ナトリウム入口プレナム１４が、ナトリウム側上部管板７の下方でかつナトリウム側上部管板７付近に配置され、周方向においてシェル２の外面を取り囲んでいる。ナトリウム入口ノズル１５がナトリウム入口プレナム１４に接続される。ナトリウム入口プレナム１４は、シェル２に周方向において形成された複数の入口開口部１６によってシェル２の内部に連絡される。ナトリウム出口プレナム１７が、ナトリウム側下部管板８の上方でかつナトリウム側下部管板８付近に配置され、周方向においてシェル２の外面を取り囲んでいる。ナトリウム出口ノズル１８がナトリウム出口プレナム１７に接続される。ナトリウム出口プレナム１７は、シェル２に周方向において形成された複数の出口開口部１９によってシェル２の内部に連絡される。ナトリウム入口ノズル１５は中間熱交換器（図示せず）の伝熱管の出口側に連絡され、ナトリウム出口ノズルは中間熱交換器の伝熱管の入口側に連絡される。
【００２２】
全ての外管５の内面（または全ての内管４の外面）に、複数（例えば、４つ）の窪み２０が形成される（図３参照）。外管５の周方向に配置されたこれらの窪み２０は、外管５の軸方向に伸びている。耐熱性光ファイバ２３が各外管５のそれぞれの窪み２０内に配置される。これらの耐熱光ファイバ２３は、内管４と外管５の間に配置され、軸方向において外管５の全長に亘って伸びている。耐熱光ファイバ２３の半数はガスプレナム３３からシェル２に設けられた貫通部を通って外部に取り出され、耐熱光ファイバ２３の残りの半数はガスプレナム３４からシェル２に設けられた貫通部を通って外部に取り出される。それぞれの貫通部は、耐熱光ファイバ２１相互間を塞いだ密封構造になっている。ガスプレナム３３を通って取り出される各耐熱光ファイバ２３の二重伝熱菅３内での末端は、例えば、ナトリウム側下部管板８の下面の位置にある。ガスプレナム３４を通って取り出される各耐熱光ファイバ２３の二重伝熱菅３内での末端は、例えば、ナトリウム側上部管板７の上面の位置にある。
【００２３】
伝熱管破損検出装置２２は、光スイッチ２４，２６、光源２５、温度測定器２７、データ処理装置２８及び制御装置２９を有する。ガスプレナム３３及び３４を通るそれぞれの耐熱光ファイバ２３は、光スイッチ２４を介して光源２５に接続される。また、それぞれの耐熱光ファイバ２３は、光スイッチ２６を介して温度測定器２７に接続される。データ処理装置２８が温度測定器２６に接続される。
【００２４】
高速増殖炉（図示せず）内で加熱された一次液体ナトリウムは、中間熱交換器（図示せず）のシェル内に供給され、中間熱交換器の伝熱管内に導かれる二次液体ナトリウムを加熱する。温度が低下した一次液体ナトリウムは高速増殖炉に戻される。中間熱交換器で加熱された二次液体ナトリウムは、ナトリウム入口ノズル１５を通ってナトリウム入口プレナム１６内に供給される。この二次液体ナトリウムは、それぞれの入口開口部１６からシェル２内に導かれ、出口開口部１９に向かってシェル２内を流れる。
【００２５】
給水は、給水入口ノズル１３から給水プレナム１２内に供給され、各内管４内に導かれる。内管４内を流れる給水は、シェル２内を流れる高温の二次液体ナトリウムによって加熱され、蒸気になる。内管４を上昇する蒸気は、蒸気プレナム１０に排出され、蒸気出口ノズル１１に接続された蒸気配管を通ってタービンに供給される。タービンは蒸気によって回転され、タービンに連結している発電機（図示せず）も回転する。発電機の回転によって電力が発生する。タービンから排出された蒸気は、復水器で凝縮されて水になる。この水は、給水として、給水配管及び給水入口ノズル１３を通って給水プレナム１２内に供給される。
【００２６】
出口開口部１９からナトリウム出口プレナム１７内に流出した、温度が低下した二次液体ナトリウムは、ナトリウム出口ノズル１８より中間熱交換器の伝熱管内に戻される。
【００２７】
高速増殖炉の運転中に、万が一、内管４及び外管５のいずれかが破損したとき、伝熱管破損検出装置２２はその破損を検出する。この伝熱管破損検出装置２２の作用について詳細に説明する。光スイッチ２４は、制御装置２９で制御され、光源２５と各耐熱光ファイバ２３の接続状態を周期的に順次切り替える機能を有する。このため、光源２５から出力された光は、光スイッチ２４によって全ての耐熱光ファイバ２３に順番に入射される。この光は各耐熱光ファイバ２３の末端まで伝送される。窪み２０内の耐熱光ファイバ２３内を伝送した光の散乱光は、耐熱光ファイバ２３内を逆方向に伝送される。光スイッチ２６も、制御装置２９で制御され、各耐熱光ファイバ２３と温度測定器２７の接続状態を周期的に順次切り替える。このため、各耐熱光ファイバ２３内を伝送されてきた散乱光は、順次、温度測定器２７内に入射される。
【００２８】
温度は散乱光の強度を用いて測定することができる。特に、ラマン散乱光は温度依存性が高いので、ラマン散乱光の強度を用いて温度を測定することが好ましい。温度測定器２７は、各耐熱光ファイバ２３から周期的に入射されるラマン散乱光の強度を用いて、それぞれの耐熱光ファイバ２３が配置された窪み２０内での、二重伝熱管３の軸方向における温度を測定する。温度測定器２７で測定された各二重伝熱管３の軸方向の温度が、データ処理装置２８に入力される。
【００２９】
データ処理装置２８は、入力した温度情報に基づいて耐熱光ファイバ２３が配置されたそれぞれの窪み２０の位置での二重伝熱管３の軸方向の温度分布を求める。内管４が破損した場合には、内管４の破損箇所から流出した水（または蒸気）が窪み２０内に流入する。外管５が破損した場合には、外管５の破損箇所から流出したナトリウムが窪み２０内に流入する。ある二重伝熱管３の内管４または外管５が破損した場合には、データ処理装置２８で算出されたその二重伝熱管３の軸方向の温度分布が、その二重伝熱管３が破損していない正常な状態での軸方向の温度分布に比べて変化する。特に、破損箇所の軸方向の位置での温度が変化する。データ処理装置２８は、算出した温度分布の情報に基づいて、各二重伝熱管３の軸方向における温度分布の変化を算出する。データ処理装置２８は、温度分布の変化が生じた場合には、その変化が生じている軸方向の位置を求める。データ処理装置２８は、二重伝熱管３の識別情報、求められた各窪み２０の位置での二重伝熱管３の軸方向の温度分布及び温度分布の変化量の各情報、及びその温度分布が変化している場合には変化が生じている軸方向の位置の情報を表示装置３０に出力する。データ処理装置２８は、求められた温度が設定値を超えたとき、警報を発するように警報装置（図示せず）に指令信号を出力する。警報装置は、この指令信号を入力したとき、すなわち、二重伝熱管３（内管４または外管５）にき裂が入って流体が漏洩したときに警報を発する。この警報が発せられたとき、オペレータは、表示装置に表示されたそれらの情報を見ることによって、破損した二重伝熱管３及び軸方向における破損箇所の位置を精度良く特定することができる。
【００３０】
本実施例は、耐熱光ファイバ２３を内管４と外管５の間に設置するので、特開平４−２０３８９６号公報のように、二重伝熱菅ごとにスリーブ及びヘリウム配管を設置することが不要であり、蒸気発生器２１内の構造が単純化される。耐熱光ファイバ２３は、柔軟性に富んでおり、ヘリウム配管に比べて上下のヘリウムプレナム内での引き回しが容易に行える。また、本実施例は、特開平６−３４７３６０号公報のように、多数の発光部及び受光素子をシェルに取り付ける必要が無いので、蒸気発生器２１の構造が単純化される。
【００３１】
外管５の内面に形成した窪み２０内に耐熱光ファイバ２３を配置しているので、外管５の内面の大部分を内管４の外面に接近させることができるので、外管５の外側を流れる二次液体ナトリウムの熱を、外管５から内管４に効率良く伝えることができる。このため、耐熱光ファイバ２３の設置によって、内管４内を流れる給水の加熱が実質的に悪影響を受けることは無い。
【００３２】
本実施例は、各二重伝熱管３の内管４と外管５の間に耐熱光ファイバ２３を配置しているので、破損が生じた二重伝熱管３を精度良く検出することができる。耐熱光ファイバ２３が、二重伝熱管３の軸方向に配置されているので、二重伝熱管３の破損箇所の、軸方向における位置も検出することができる。耐熱光ファイバ２３を配置する窪み２０は、外管５の内面ではなく内管４の外面に形成することも可能である。
【００３３】
本実施例は、蒸気発生器２１に設置された耐熱光ファイバ２３の一部（例えば、半数）を蒸気発生器２１の上端部（ガスプレナム３３）からシェル２の外部に取り出され、残りの耐熱光ファイバ２３が蒸気発生器２１の下端部（ガスプレナム３４）からシェル２の外部に取り出されるので、ガスプレナムにおける耐熱光ファイバ２３の敷設作業を容易に行うことができ、さらに、シェル２の、耐熱光ファイバ２３の貫通部を小型化することができる。
【実施例２】
【００３４】
本発明の他の実施例である実施例２の蒸気発生装置を本発明の他の実施例である実施例２の蒸気発生装置を、図４及び図５を用いて説明する。本実施例の蒸気発生装置１Ａは、実施例１の蒸気発生装置１において、蒸気発生器２１を蒸気発生器２１Ａに替えた構成を有する。蒸気発生装置１Ａの他の構成は蒸気発生装置１と同じである。
【００３５】
蒸気発生器２１Ａは、蒸気発生器２１において設けられているナトリウム側上部管板７、ナトリウム側下部管板８及びガスプレナム３３，３４を有していない。本実施例で用いられる蒸気発生器２１Ａは、蒸気側管板６及び図示されていないが給水側管板９を有している。蒸気側管板６はシェル２内の二次液体ナトリウム領域と蒸気プレナム１０を隔離し、給水側管板９はシェル２内の二次液体ナトリウム領域と給水プレナム１２を隔離している。蒸気側管板６は図４に示すように曲面を有する。給水側管板９も蒸気側管板６と同様に曲面を形成している。それぞれの二重伝熱管３の一端部が蒸気側管板９に取り付けられ、それらの他端部が給水側管板９に取り付けられる。すなわち、蒸気側管板６が、二重伝熱管３が挿入されるそれぞれの貫通孔部の周囲で蒸気プレナム１０側に突出する複数の環状突起部３２を形成している（図５参照）。内管４及び外管５の上端部に接合されるストッパリング部材３１が環状突起部３２の上端に溶接にて接合される。内管４及び外管５の下端部の給水側管板９への取り付け構造も、内管４及び外管５の上端部の蒸気側管板６への取り付け構造と同じである。
【００３６】
実施例１と同様に、耐熱光ファイバ２３が外管５の内面に形成された複数の窪み２０内にそれぞれ配置される。これらの耐熱光ファイバ２３の半数が、蒸気側管板６の、蒸気プレナム１０側の表面に沿って敷設され、蒸気プレナム１０のシェル２の部分に設けられた貫通部を通してシェル２の外部に導かれる。耐熱光ファイバ２３の残りの半数が、給水側管板９の、給水プレナム１２側の表面に沿って敷設され、給水プレナム１２のシェル２の部分に設けられた貫通部を通してシェル２の外部に導かれる。耐熱光ファイバ２３の半数は、蒸気の流れによって振られないように蒸気側管板６の該当する表面に固定される。耐熱光ファイバ２３の残りの半数は、給水の流れによって振られないように給水側管板９の該当する表面に固定される。
【００３７】
本実施例の蒸気発生装置１Ａも、実施例１と同様に、伝熱管破損検出装置２２を備えている。それらの耐熱光ファイバ２３は、実施例１と同様に、光スイッチ２４を介して光源２５に接続され、光スイッチ２６を介して温度測定器２７に接続される。
【００３８】
本実施例も、実施例１で生じる各効果を得ることができる。
【図面の簡単な説明】
【００３９】
【図１】本発明の好適な一実施例である実施例１の蒸気発生装置の構成図である。
【図２】図１に示す伝熱管破損検出装置の詳細構成図である。
【図３】図１に示す二重伝熱管の横断面図である。
【図４】本発明の他の実施例である実施例２の蒸気発生装置の構成図である。
【図５】図４に示す二重伝熱管の蒸気側管板への取り付け部の拡大縦断面図である。
【符号の説明】
【００４０】
１，１Ａ…蒸気発生装置、２…シェル、３…二重伝熱管、４…内管、５…外管、６…蒸気側管板、７…ナトリウム側上部管板、８…ナトリウム側下部管板、９…給水側管板、１０…蒸気プレナム、１２…給水プレナム、２０…窪み、２１，２１Ａ…蒸気発生器、２２…伝熱管破損検出装置、２３…耐熱光ファイバ、２４，２６…光スイッチ、２５…光源、２７…温度測定器、２８…データ処理装置、２９…制御装置。
【図１】
2010014583.tif 000003
【図２】
2010014583.tif 000004
【図３】
2010014583.tif 000005
【図４】
2010014583.tif 000006
【図５】
2010014583.tif 000007